(57)【特許請求の範囲】
【請求項１】
基板に複数本の毛髪が取り付けられた増毛用ピースを装着した複数の増毛用ユニットからなり、前記増毛用ピースを頭皮に粘着させて植毛する増毛用具であって、
前記各増毛用ユニットは、縦長の形状を有すると共に、前記毛髪を挿通した状態で前記増毛用ピースを保持する細管をその先端面に備えており、
前記複数の増毛用ユニットは、前記縦長の形状の軸方向にスライド可能にその側面を互いに係止しつつ一体化されている増毛用具。
【請求項２】
前記細管は、前記各増毛用ユニットの先端面から突出して設けられている請求項１記載の増毛用具。
【請求項３】
前記複数の増毛用ユニットは、着脱可能に係止されて一体化されている請求項１又は２に記載の増毛用具。
【請求項４】
前記増毛用ユニットは、前記細管をその先端面に複数備える請求項１〜３に記載の増毛用具。
【発明の詳細な説明】
【０００１】
【発明の属する技術分野】
本発明は、増毛用ピースを頭皮に粘着させて植毛する増毛用具に関する。
【０００２】
【従来の技術及び発明が解決しようとする課題】
増毛技術としては、かつらを用いる方法や、自毛の根本に人工毛髪を結着させる方法等が一般的に知られている。かつらを使用する方法は、広い面積を一度に覆うことができる反面、むれやすく、また一気に外観がかわるため不自然で、初期コスト及び維持費も高価である。人工毛髪を結着させる方法は、自毛に負担をかけることになるため、かえって脱毛を促進させることになり、また自毛は一月に約１センチ程度伸びるため、外観が不自然になりやすい。
【０００３】
これに対し、接着剤を介して頭皮に人工毛髪を直接接着させるようにした増毛技術が例えば特開平８−４１７１８号公報に記載されている。特開平８−４１７１８号公報によれば、線状物を基材として人工毛髪を複数本結びつけた増毛用ピースを、図８に示す増毛用具を用いて増毛用接着剤により頭皮に接着してゆく。図８に示す増毛用具５０は、透明又は半透明の樹脂フィルム５１を棒状スティック５２の先部に被せて当該棒状スティック５２の先端面５３に増毛用ピース５４を仮固定した状態で、この棒状スティック５２を透明又は半透明のパイプ５５に差し込んでなるもので、増毛時に棒状スティック５２の先端面５３に増毛用接着剤を適量つけ、増毛しようとする頭皮に押し付けて増毛用ピース５４の基材５６を頭皮に接着させた後、パイプ５５及び棒状スティック５２を頭皮から引き上げることにより、増毛用ピース５４を頭皮に植毛する。
【０００４】
しかしながら、上記従来の増毛用具５０によれば、１つの増毛用ピース５４しか備えていないため、広範囲の領域に増毛作業を行う場合には、多数の増毛用具５０が必要になると共に、接着剤をつけて頭皮に押し付ける作業を多数回繰り返すことになるため多くの時間を要することになる。
【０００５】
本発明は、湾曲した形状を有する頭の頭皮に沿って、広範囲の領域を効率良く迅速に増毛できる増毛用具の提供を目的とする。
【０００６】
【課題を解決するための手段】
本発明は、基板に複数本の毛髪が取り付けられた増毛用ピースを装着した複数の増毛用ユニットからなり、前記増毛用ピースを頭皮に粘着させて植毛する増毛用具であって、前記各増毛用ユニットは、縦長の形状を有すると共に、前記毛髪を挿通した状態で前記増毛用ピースを保持する細管をその先端面に備えており、前記複数の増毛用ユニットは、前記縦長の形状の軸方向にスライド可能にその側面を互いに係止しつつ一体化されている増毛用具を提供することにより、上記目的を達成したものである。
【０００７】
【発明の実施の形態】
図１に示す本発明の好ましい実施形態に係る増毛用具１０は、毛髪の薄い部分の頭皮に増毛用ピース１１を直接粘着させて増毛する際に用いられる（図７（ａ），（ｂ）参照）。そして、本実施形態の増毛用具１０は、基板１２に複数本の毛髪１３が取り付けられた増毛用ピース１１を装着した複数の増毛用ユニット１４からなり、各増毛用ユニット１４は、縦長の形状を有すると共に、毛髪１３を挿通した状態で増毛用ピース１１を保持する細管１５をその先端面１６に備えている。また、複数の増毛用ユニット１４は、その縦長の形状の軸方向Ｘにスライド可能にその側面を互いに係止しつつ一体化されている。
【０００８】
本実施形態によれば、増毛用具１０は、図２（ａ），（ｂ）及び図３にも示すように、４本の増毛用ユニット１４を上下左右に接合一体化して構成されている。各増毛用ユニット１４は、例えばプラスチックからなり、外周部分が係止用の凹凸部となった縦横１０ｍｍ程度の大きさの略正方形状の横断面を有すると共に、図２（ｂ）の上下方向に１００ｍｍ程度の長さの縦長の形状を備えた部材である。
【０００９】
各増毛用ユニット１４には、略正方形状の横断面の各辺部における一方に片寄った位置に、各々半長円形状の凹溝１７が、各増毛用ユニット１４の側面に沿って縦長の形状の全長に亘って軸方向Ｘに形成されており、この凹溝１７に沿って細管１５がはめ込まれるようにして取り付けられる（図３参照）。また、細管１５がはめ込まれた凹溝１７の細管１５よりも外側の部分は、係合凹部１８として各増毛用ユニット１４の外周部分に配置される（図２（ａ）参照）。また略正方形状の横断面の各辺部における他方に片寄った位置には、矩形状断面の係合凸部１９が、外側に突出して増毛用ユニット１４の側面に沿って縦長の形状の全長に亘って軸方向Ｘに設けられる。
【００１０】
そして、各増毛用ユニット１４の係合凹部１８及び係合凸部１９と隣接する増毛用ユニット１４の係合凸部１９及び係合凹部１８とを嵌合係止することにより、４本の増毛ユニット１４が一体化される。また係合凹部１８と係合凸部１９との係止状態によって案内されて、各増毛用ユニット１４は、縦長の形状の軸方向Ｘに互いにスライド可能な状態でその側面を係止されることになる。
【００１１】
また、本実施形態によれば、係合凹部１８の幅よりも係合凸部１９の幅のほうが若干大きくなっており、係合凸部１９はプラスチックの弾性により係合凹部１８を押し広げるようにして当該係合凹部１８に嵌合係止されることにより、増毛用ユニット１４は相互に接合固定されることになる。また接合固定された増毛用ユニット１４は、かかる嵌合状態を解除することにより容易に解体ができるようになっている。すなわち、増毛用ユニット１４は、着脱可能に係止されて一体化されている。なお、増毛用ユニット１４は、係合凸部１９及び係合凹部１８とを嵌合係止することにより着脱可能に容易に一体化することができるので、増毛用具１０を構成する増毛用ユニット１４の本数を必要に応じて適宜増減することができる。
【００１２】
細管１５は、外径２．２ｍｍ程度、内径０．８ｍｍ程度の大きさのプラスチック製の円筒管であって、各増毛用ユニット１４の４箇所の凹溝１７に沿ってはめ込まれることにより各々取り付けられる。また、本実施形態によれば、細管１５は、増毛用ユニット１４の先端面から３ｍｍ程度の長さで突出して配置されると共に、増毛用ユニット１４の先端面に均等に分散して４カ所に設けられている。各細管１５には、後述する増毛用ピース１１が、毛髪１３を内部に挿通した状態で装着される。なお、細管１５を増毛用ユニット１４の先端から突出して設ける際の突出長さは、１０ｍｍ以下が好ましく、０．５〜２ｍｍが特に好ましい。突出長さを０．５〜１０ｍｍとすることにより、自毛を効果的にかき分けることができ、またコンパクトさを保持してねらった所に植毛しやすくすることができる。また、細管１５を増毛用ユニット１４の先端から突出して設ける際には、その外径は、２〜３ｍｍ程度とすることが好ましい。細管１５の外径を２〜３ｍｍとすることにより、細管１５の肉厚が細くなりすぎて破損することがなく、また自毛をかき分けることを効果的に行うことができる。
【００１３】
本実施形態によれば、増毛用ユニット１４に装着される増毛用ピース１１は、図４に概念図として示すように、裏面に粘着剤２１が塗着された基板１２と、この基板１２の表面に植設された複数の毛髪１３とからなる。また粘着剤２１の粘着面には、微粉体としてのマイクロビーズ２２が撒かれていることにより、当該増毛用ピース１１を使用する前に、指やその他の物が粘着剤２１に接触しないように当該粘着剤２１を保護している。
【００１４】
基板１２は、直径３ｍｍ程度の円形の平面形状を有し、例えば延伸されていない熱可塑性エラストマーとして、好ましくはウレタン又はポリエステルからなる５〜１００μｍ程度の厚さのものである。基板１２は、２００ｇ／ｍ2 ２４ｈ以上の透湿度（ＪＩＳ規格Ｚ０２０８カップ法Ｂ法による透湿度、測定条件４０℃、９０％ＲＨにて測定）と、２〜７ＭＰａ程度の機械強度（ＪＩＳ規格Ｋ６３０１による機械強度引っ張り試験１００％モジュラス４０℃）を備え、これによって頭皮の動きに追随する適度の可撓性と、複数の毛髪１３を一定期間安定して支持すると共に頭皮に負荷される物理的な荷重を受けても破損しない程度の物性を備える。また、その透湿性によって頭皮からの発汗作用に極端な影響を与えることがない。
【００１５】
粘着剤２１は、２００ｇ／ｍ2 ２４ｈ以上の透湿度（ＪＩＳ規格Ｚ０２０８カップ法Ｂ法による透湿度、測定条件４０℃、９０％ＲＨにて測定）を備える公知の各種の粘着剤を用いることができるが、例えばＮ−アルキル置換アクリルアミドやメタアクリレート等からなる粘着剤を用いることが好ましく、５〜１００μｍ程度の厚さで、基板１２の裏面の全体に塗着される。これによって、裏面に粘着剤２１が塗着された基板１２は、その全体の厚さが２００μｍ程度に留まるので、増毛用ピース１０を頭皮に粘着させた際に、指で触ってもほとんど感知することができず、取り付け後の違和感から開放されることになる。また、その透湿性によって頭皮からの発汗作用に極端な影響を与えることがない。
【００１６】
ここで、粘着剤は、指圧程度の圧力で対象物に付着する性質を有する物質であって、一般には粘性流動を示す高分子溶液、或いは軟化点が１５０℃以下の高分子物質を意味する。従って、本発明における粘着剤は、接着後の性質が常温で粘性流動を示さない軟化点の高い（数１００℃以上）物質である接着剤とは明確に区別される物質である。
【００１７】
基板１２の表面に植設される毛髪１３は、人工毛髪或いは天然毛髪のいずれも使用することができるが、本実施形態によれば、例えば超音波溶融によって、１０ｃｍ程度の長さの６本の人工毛髪が植設されている。なお、植設される毛髪１３の本数や長さは、自毛の密度や長さ等を鑑みて適宜設定することができる。
【００１８】
マイクロビーズ２２は、シリカ等からなる粒径０．５〜１０μｍ程度の大きさの粘着剤２１よりも硬い硬度の微粉体であって、乾式液晶スペーサ散布法により、粘着剤２１の粘着面の全体にわたって１〜７０％、好ましくは１．５〜３０％、特に好ましくは２〜５％の領域を覆うように付着している。なお、マイクロビーズ２２によって粘着剤２１の粘着面を覆う領域が広すぎると、基板１２が頭皮に充分に粘着しないおそれがあり、粘着面を覆う領域が狭すぎると、当該増毛用ピース１１を使用する前に、指やその他の物が粘着剤２１に接触しやすくなる。
【００１９】
マイクロビーズ２２は、増毛用ピース１１の未使用時に粘着剤２１の粘着面に付着した状態から、増毛用ピース１１の使用時において基板１２を頭皮に押し付ける押圧力を受けると、この押圧力の作用によって、図５に示すように、粘着剤２１の内部に沈み込んでゆき、粘着剤２１を粘着面に表出させることにより、当該粘着剤２１を介して基板１２を頭皮に粘着させる。
【００２０】
そして、上記構成の増毛用ピース１１は、毛髪１３が細管１５の先端開口から内部に挿入されている状態で、基板１２を細管１５の各先端開口に仮止めすることにより、増毛用ユニット１４に各々装着される（図１参照）。即ち、図６に示すように、４カ所の細管１５の各先端開口から増毛用ピース１１の毛髪１３を挿入し、毛髪１３の植毛部位の周囲に位置する基板１２の表面を各細管１５の開口縁部２３に当接させ、仮止用粘着剤２４を介して粘着することにより、粘着剤２１が塗着された基板１２の裏面を先端側に向けた状態で、４つの増毛用ピース１１を増毛用ユニット１４に各々取り付ける。なお、仮止用粘着剤２４に代えて仮止用接着剤を用いることもできる。
【００２１】
本実施形態によれば、仮止用粘着剤（又は接着剤）２４は、粘着剤２１の接着力よりも弱い接着力を有する粘着剤（又は接着剤）からなり、各細管１６の開口縁部２３に予め塗着される。そして、基板１２の表面を開口縁部２３に当接させた際に、当該表面を粘着して、増毛用具１０の未使用時に各増毛用ピース１１を細管１５から抜け落ちないように保持する。また増毛用具１０の使用時には、接着力の強い粘着剤２１を介して頭皮に粘着した基板１２を、各細管１５の開口縁部２３から引き剥がして、毛髪１３を細管１５からスムースに抜き出しつつ増毛用ピース１１による植毛ができるようになっている。なお、仮止用粘着剤（又は接着剤）２４は水溶性のものを用いることが好ましい。水溶性の粘着剤（又は接着剤）を用いることにより、増毛用ピース１１を頭皮に粘着した後に、基板１２の表面側に付着したまま残った仮止用接着剤（又は接着剤）２４を洗い落として、当該仮止用粘着剤（又は接着剤）２４に汚れ等が付着するのを回避することができる。ここで、粘着剤としてはＮ−アルキル置換アクリルアミドや（メタ）アクリレート等を用いることができ、接着剤としては、ポリビニルアルコール、ポリアクリル酸、ポリビニルピロリドン等を用いることができる。
【００２２】
また、本実施形態によれば、増毛用具１０を構成する４本の増毛用ユニット１４の先端面は各々１ｃｍ2 程度の広さを有し、したがって増毛用具１０は４ｃｍ2 の領域の頭皮に増毛することが可能なのに対して、先端面に略均等に分散して突出する合計１６カ所の細管１５には、６本の毛髪１３を有する増毛用ピース１０が各々取り付けられいる。したがって、増毛用具１０によって、４ｃｍ2 の頭皮に対して１６×６＝９６本の毛髪１３を一度に植毛できることになる。一般に天然の毛髪の数は、１ｃｍ2 の頭皮に対して１００〜２００本とされているが、４ｃｍ2 当たり９６本程度の植毛により十分な隠蔽効果が得られるので、本実施形態によれば、増毛用具１０を用いて増毛用ピース１１を粘着させることにより、天然の毛髪に近い自然さで増毛することが可能になる。
【００２３】
本実施形態の増毛用具１０を用いて、増毛用ピース１１を頭皮に粘着させて増毛するには、図７（ａ）に示すように、４本が一体となった増毛用ユニット１４の先端面から突出する細管１５によって、残った天然の自毛２５をかき分けつつ、基板１２が仮止めされた細管１６の先端を頭皮に直接押し付ける。かかる押付けるまでの作業において、基板１２の裏面に塗着された粘着剤２１はマイクロビーズ２２によって覆われているので、周囲の自毛２５を付着させることがない。細管１５の先端を頭皮に押し付けた状態をしばらくの間保持すれば、この押圧力の作用によってマイクロビーズ２２は粘着剤２１の中に沈み込み、粘着剤２１が粘着面に表出するので、基板１２が頭皮に強固に粘着することになる。しかる後に、図７（ｂ）に示すように、増毛用ユニット１０を引き上げれば、基板１２の仮止め状態が外れて、毛髪１３が円筒部１６からスムースに抜き出され、４ｃｍ2 の広い領域の頭皮に対して、９６本程の毛髪１３が一度に植毛されることになる。
【００２４】
また、本実施形態によれば、増毛用具１０を構成する４本の増毛用ユニット１４は、縦長の形状の軸方向Ｘにスライド可能にその側面を互いに係止しつつ一体化されているので、各増毛用ユニット１４の先端面の位置を相対的にずらすことにより、各増毛用ユニット１４の細管１６の先端を頭皮の曲面に沿うように位置合わせすることができる。したがって、合計１６箇所の細管１５の先端を頭皮に押し付ける際に、均等な圧力で頭皮に押し付けることが容易になり、植毛作業を効率良くスムースに行うことが可能になると共に、増毛用ピース１１を頭皮に安定した状態で粘着させることが可能になる。
【００２５】
すなわち、本実施形態の増毛用具によれば、湾曲した形状を有する頭の頭皮に沿って、広範囲の領域を効率良く迅速に増毛することができる。また、増毛用ユニット１４を複数係止させずに、個々に用いて１個１個で狭い領域に増毛用ピース１１を粘着することもできる。
【００２６】
なお、本発明は上記実施形態に限定されることなく種々の変更が可能である。例えば、増毛用ユニットは縦長の形状の軸方向にスライド可能に係止されているものであれば、必ずしも着脱可能に一体化されている必要はない。また、細管は、増毛用ユニットの先端面から突出して設けられている必要は必ずしもない。さらに、増毛用ユニットは、上記実施形態の形状以外のものを採用することもでき、例えば円形や蜂の巣形状の横断面を備えることもできる。
【００２７】
【発明の効果】
本発明の増毛用具によれば、湾曲した形状を有する頭の頭皮に沿って、広範囲の領域を効率良く迅速に増毛することができる。
【図面の簡単な説明】
【図１】本発明の一実施形態に係る増毛用具の斜視図である。
【図２】本発明の一実施形態に係る増毛用具を構成する増毛用ユニットを、複数一体化した状態を示す（ａ）は平面図、（ｂ）は側面図である。
【図３】増毛用ユニットの構成を説明する平面図である。
【図４】本発明の一実施形態に係る増毛用具を構成する増毛用ピースを説明する概念図である。
【図５】増毛用ピースを頭皮に取り付けた状態を説明する概念図である。
【図６】増毛用ピースを細管の開口縁部に仮止めする状況の説明図である。
【図７】（ａ）及び（ｂ）は、増毛用具を用いて増毛用ピースを頭皮に取り付ける状態の説明図である。
【図８】従来の増毛用具を示す斜視図である。
【符号の説明】
１０  増毛用具
１１  増毛用ピース
１２  基板
１３  毛髪
１４  増毛用ユニット
１５  細管
１６  先端面
１７  凹溝
１８  係合凹部
１９  係合凸部
２１  粘着剤
２２  マイクロビーズ
２３  開口縁部
２４  仮止用粘着剤
２５  自毛
【図１】
0004744726.tif 000002
【図２】
0004744726.tif 000003
【図３】
0004744726.tif 000004
【図４】
0004744726.tif 000005
【図５】
0004744726.tif 000006
【図６】
0004744726.tif 000007
【図７】
0004744726.tif 000008
【図８】
0004744726.tif 000009